(57)【要約】【課題】安価で消費電力が低く、画像表示用のモニタが無くても確実に撮影されたことを撮影者に知らせることができるデジタルカメラを提供する。【解決手段】撮影により得られた画像データを解析し、データの完全性をチェックして、撮影の成否を判定する。そして、撮影成功の場合は、ファインダ接眼部３０の近傍に設置された撮影結果表示ランプ３４を点灯し、撮影失敗の場合は、撮影結果表示ランプ３４を点滅させる。撮影者は、この撮影結果表示ランプ３４の点灯状態を見ることにより、撮影の成否を判断することができる。【選択図】      図２
2007124035.tif 000002
【特許請求の範囲】
【請求項１】
被写体像をイメージセンサで電気信号に変換し、デジタルの画像データとして記憶メディアに記録するデジタルカメラにおいて、
撮影により得られた画像データを解析し、所定の判定基準に基づいて撮影の成否を判定する判定手段と、
前記判定手段の判定結果に基づいて撮影結果を報知する報知手段と、
を備えたことを特徴とするデジタルカメラ。
【請求項２】
前記報知手段は、撮影結果を表示部に文字又は記号表示することを特徴とする請求項１に記載のデジタルカメラ。
【請求項３】
スポーツファインダ又は光学式ファインダを備え、画像表示用のモニタのないデジタルカメラであることを特徴とする請求項１又は２に記載のデジタルカメラ。
【請求項４】
前記報知手段は、前記スポーツファインダ又は光学式ファインダのファインダ接眼部近傍に設置されたランプであって、点灯又は点滅して撮影結果を報知することを特徴とする請求項３に記載のデジタルカメラ。
【請求項５】
前記報知手段は、前記スポーツファインダ又は光学式ファインダの内部に設置されたランプであって、点灯又は点滅して撮影結果を報知することを特徴とする請求項３に記載のデジタルカメラ。
【請求項６】
前記報知手段は、前記スポーツファインダ又は光学式ファインダの内部に設置された表示部に撮影結果を文字又は記号表示することを特徴とする請求項３に記載のデジタルカメラ。
【発明の詳細な説明】
【技術分野】
【０００１】
本発明は、デジタルカメラに係り、特に装置本体に画像確認用のモニタのないデジタルカメラに関する。
【背景技術】
【０００２】
被写体像をデジタルデータとして記録するデジタルカメラは、モニタがあれば、撮影された画像をその場で確認することができるという利点を有している。このため、デジタルカメラのカメラボディには画像表示用のモニタが備えられている。
【０００３】
しかしながら、カメラボディにモニタを設置すると、その分、製造コストが上昇するという問題がある。このため、デジタルカメラでレンズ付きフイルムユニットのような使い切りタイプのカメラを提供しようとすると、割高の商品になってしまうという問題があった。
【０００４】
そこで、特許文献１、２では、カメラボディにはモニタを備えず、カメラボディに接続した携帯電話機のモニタを利用して、画像を表示することにより、製造コストを抑えることが提案されている。
【特許文献１】特開２００３−４６８４１号公報
【特許文献２】特開２００３−２９９０１４号公報
【発明の開示】
【発明が解決しようとする課題】
【０００５】
しかしながら、特許文献１、２のシステムでは、カメラ本体の他に常に携帯電話機が必要になり、使い勝手が悪いという欠点がある。
【０００６】
本発明は、このような事情に鑑みてなされたもので、安価で消費電力が低く、画像表示用のモニタが無くても確実に撮影されたことを撮影者に知らせることができるデジタルカメラを提供することを目的とする。
【課題を解決するための手段】
【０００７】
請求項１に係る発明は、前記目的を達成するために、被写体像をイメージセンサで電気信号に変換し、デジタルの画像データとして記憶メディアに記録するデジタルカメラにおいて、撮影により得られた画像データを解析し、所定の判定基準に基づいて撮影の成否を判定する判定手段と、前記判定手段の判定結果に基づいて撮影結果を報知する報知手段と、を備えたことを特徴とするデジタルカメラを提供する。
【０００８】
請求項１に係る発明によれば、撮影が行われると、その撮影結果が報知手段で報知される。撮影者は、この報知手段の報知結果に基づいて撮影の成否を判断することができる。
【０００９】
請求項２に係る発明は、前記目的を達成するために、前記報知手段は、撮影結果を表示部に文字又は記号表示することを特徴とする請求項１に記載のデジタルカメラを提供する。
【００１０】
請求項２に係る発明によれば、撮影結果が表示部に文字又は記号で表示される。
【００１１】
請求項３に係る発明は、前記目的を達成するために、スポーツファインダ又はファインダを備え、画像表示用のモニタのないデジタルカメラであることを特徴とする請求項１又は２に記載のデジタルカメラを提供する。
【００１２】
請求項３に係る発明によれば、モニタがなく、スポーツファインダ又はファインダによって構図の確認が行われる。これにより、消費電力を抑えることができる。
【００１３】
請求項４に係る発明は、前記目的を達成するために、前記報知手段は、前記スポーツファインダ又はファインダのファインダ接眼部近傍に設置されたランプであって、点灯又は点滅して撮影結果を報知することを特徴とする請求項３に記載のデジタルカメラを提供する。
【００１４】
請求項４に係る発明によれば、ファインダ接眼部の近傍に設置されたランプの点灯／点滅によって、撮影結果が報知される。これにより、撮影結果を確実に撮影者に伝えることができる。
【００１５】
請求項５に係る発明は、前記目的を達成するために、前記報知手段は、前記スポーツファインダ又はファインダの内部に設置されたランプであって、点灯又は点滅して撮影結果を報知することを特徴とする請求項３に記載のデジタルカメラを提供する。
【００１６】
請求項５に係る発明によれば、ファインダ内に設置されたランプの点灯／点滅によって、撮影結果が報知される。これにより、撮影結果を確実に撮影者に伝えることができる。
【００１７】
請求項６に係る発明は、前記目的を達成するために、前記報知手段は、前記スポーツファインダ又はファインダの内部に設置された表示部に撮影結果を文字又は記号表示することを特徴とする請求項３に記載のデジタルカメラを提供する。
【００１８】
請求項６に係る発明によれば、ファインダ内に設置された表示部に撮影結果が文字又は記号で表示される。これにより、撮影結果を確実に撮影者に伝えることができる。
【発明の効果】
【００１９】
本発明に係るデジタルカメラによれば、安価で消費電力が低く、画像表示用のモニタが無くても確実に撮影されたことを撮影者に知らせることができる。
【発明を実施するための最良の形態】
【００２０】
以下、添付図面を参照して本発明に係るデジタルカメラを実施するための最良の形態について説明する。
【００２１】
図１、図２は、それぞれ本発明が適用されたデジタルカメラの外観構成を示す正面斜視図と背面斜視図である。
【００２２】
本実施の形態のデジタルカメラ１０は、いわゆる使い切りタイプのカメラとして構成され、そのカメラボディ１２は、薄い長方形の箱状に形成されている。
【００２３】
カメラボディ１２の正面には、図１に示すように、撮影レンズ１４、ファインダ窓１６、ストロボ１８が設けられており、上面には、シャッタボタン２０、電源ボタン２２、ステータスモニタ２４、セルフタイマボタン２６、ストロボボタン２８が設けられている。
【００２４】
一方、カメラボディ１２の背面には、図２に示すように、ファインダ接眼部３０、ストロボ発光ＯＫランプ３２、撮影結果表示ランプ３４が設けられている。
【００２５】
撮影レンズ１４は、固定焦点のいわゆるパンフォーカスレンズで構成されている。
【００２６】
ファインダは、たとえば、凸レンズの対物レンズと凹レンズの接眼レンズとから構成されたガリレオタイプの光学式ファインダで構成されている。
【００２７】
シャッタボタン２０は、撮影実行を指示するボタンとして機能し、電源ボタン２２は、デジタルカメラ１０の電源をＯＮ／ＯＦＦするボタンとして機能する。
【００２８】
ステータスモニタ２４は、たとえば、セグメント方式のＬＣＤで構成され、図３に示すように、撮影可能枚数の他、ストロボの設定状態とセルフタイマの設定状態がアイコン表示される。
【００２９】
セルフタイマボタン２６は、セルフタイマ機能のＯＮ／ＯＦＦの切り替えを指示するボタンとして機能し、押下するごとにセルフタイマ機能のＯＮ／ＯＦＦが切り替えられる。そして、このセルフタイマ機能のＯＮ／ＯＦＦの設定状態に応じてステータスモニタ２４のセルフタイマの設定状態の表示が切り替えられる。
【００３０】
ストロボボタン２８は、ストロボモードの切り替えを指示するボタンとして機能し、押下するごとにストロボモードが切り替えられる。すなわち、押下するごとにストロボモードが、「ＡＵＴＯ」→「強制発光」→「発光禁止」に切り替えられる。そして、このストロボモードの設定状態に応じてステータスモニタ２４のストロボの設定状態の表示が切り替えられる（図３参照）。
【００３１】
ストロボ発光ＯＫランプ３２と撮影結果表示ランプ３４は、ファインダ接眼部３０の近傍に並列して設置されており、共にＬＥＤで構成されている。
【００３２】
ストロボ発光ＯＫランプ３２は、ストロボ撮影を行う際、ストロボ１８の発光準備が完了すると点灯する。
【００３３】
撮影結果表示ランプ３４は、撮影の成否を報知するランプとして作用し、撮影が成功すると点灯し、撮影が失敗すると点滅する。この撮影結果表示ランプ３４の作用については、後に詳述する。
【００３４】
なお、このストロボ発光ＯＫランプ３２と撮影結果表示ランプ３４は、上記のように作用することから、撮影者がファインダ接眼部３０を覗いた際に視覚に入り得る位置に設置することが好ましい。したがって、ファインダ接眼部３０の近傍、具体的には、ファインダ接眼部３０から１０ｍｍ以下の距離内に設置することが好ましい。
【００３５】
図４は、本実施の形態のデジタルカメラ１０の電気的構成を示すブロック図である。
【００３６】
同図に示すように、デジタルカメラ１０は、主としてＣＰＵ１００、ＲＯＭ１０２、ＲＡＭ１０４、操作部（シャッタボタン２０、電源ボタン２２、セルフタイマボタン２６、ストロボボタン２８）１０６、時計／カレンダ部１０８、撮像素子１１０、アナログ信号処理部１１２、Ａ／Ｄ変換器１１４、画像入力コントローラ１１６、デジタル信号処理部１１８、圧縮処理部１２０、メディアコントローラ１２２、記憶メディア１２４、ストロボ制御部１２６、電源制御部１２８、バッテリ１３０、ＡＥ検出部１３２、表示制御部１３４、データ解析部１３６、ストロボ発光ＯＫランプ３２、撮影結果表示ランプ３４等で構成されている。
【００３７】
ＣＰＵ１００は、デジタルカメラ１０の全体の動作を統括制御する制御手段として機能するとともに、各種の演算処理を行う演算手段として機能し、操作部１０６からの入力に基づき所定の制御プログラムに従ってデジタルカメラ１０の各部を制御する。
【００３８】
バス１４０を介して接続されたＲＯＭ１０２には、このＣＰＵ１００が実行する制御プログラム及び制御に必要な各種データ等が格納されている。
【００３９】
ＲＡＭ１０４は、ＣＰＵ１００の作業用領域として利用されるとともに、画像データの一時記憶領域として利用される。
【００４０】
時計／カレンダ部１０８は、現在日時を計時し、その計時結果をＣＰＵ１００からの指令に応じてＣＰＵ１００に出力する。
【００４１】
イメージセンサとしての撮像素子１１０は、所定のカラーフィルタ配列（たとえば、ベイヤ配列）のカラーＣＣＤで構成されている。撮影レンズ１４を介して撮像素子１１０の受光面に入射した光は、その受光面に配列された各フォトダイオードによって入射光量に応じた量の信号電荷に変換されて蓄積される。各フォトダイオードに蓄積された信号電荷は、図示しないタイミングジェネレータから加えられるタイミング信号に従って順次読み出され、蓄積された電荷の量に応じた電圧信号（画像信号）として順次撮像素子１１０から出力される。
【００４２】
アナログ信号処理部１１２は、ＣＤＳ回路、ＡＧＣ回路等を含み、撮像素子１１０から順次出力される画像信号に対して相関二重サンプリング処理、増幅処理等の所要のアナログ信号処理を施す。
【００４３】
Ａ／Ｄ変換器１１４は、アナログ信号処理部１１２から出力されたアナログの画像信号をデジタルの画像信号に変換する。
【００４４】
この撮像素子１１０、アナログ信号処理部１１２、Ａ／Ｄ変換器１１４の動作は、タイミングジェネレータ１００から加えられるタイミング信号によって同期が図られている。
【００４５】
画像入力コントローラ１１６は、所定容量のバッファメモリを内蔵しており、ＣＰＵ１００からの指令に従い、Ａ／Ｄ変換器１１４から出力される画像信号を一コマ分蓄積して、ＲＡＭ１０４に格納する。
【００４６】
デジタル信号処理部１１８は、同時化回路、ガンマ補正回路、輪郭補正回路、輝度・色差信号生成回路等を含み、ＣＰＵ１００からの指令に従って画像入力コントローラ１１６からＲＡＭ１０４に取り込まれた画像信号を処理し、輝度信号と色差信号とからなるＹＵＶ信号を生成する。
【００４７】
圧縮処理部１２０は、ＣＰＵ１００からの指令に従い、デジタル信号処理部１１８で生成されたＹＵＶ信号を所定の圧縮フォーマット（たとえば、ＪＰＥＧ）で圧縮する。
【００４８】
圧縮処理部１２０で生成された圧縮画像データは、一旦ＲＡＭ１０４に格納され、所定の撮影情報が付加された所定フォーマット（たとえば、Ｅｘｉｆ）の画像ファイルとして記憶メディア１２４に格納される。
【００４９】
メディアコントローラ１２２は、ＣＰＵ１００からの指令に従い、記憶メディア１２４へのデータの読み書きを制御する。
【００５０】
記憶メディア１２４は、たとえば、メモリカードで構成され、カメラボディ内に設けられたソケットに着脱自在に装着される。
【００５１】
ストロボ制御部１２６は、ＣＰＵ１００からの指令に従い、ストロボ１６の発光を制御する。
【００５２】
電源制御部１２８は、ＣＰＵ１００からの指令に従い、バッテリ１３０からデジタルカメラ各部への電力供給を制御する。
【００５３】
ＡＥ検出部１３２は、ＣＰＵ１００からの指令に従ってＡＥ制御に必要な物理量を算出する。たとえば、ＡＥ制御に必要な物理量として、１画面部の画像信号を複数のエリア（例えば、１６×１６）に分割し、分割したエリアごとにＲ、Ｇ、Ｂの画像信号の積算値を算出する。ＣＰＵ１００は、このＡＥ検出部１３２から得た積算値に基づいて被写体の明るさ（被写体輝度）を検出し、撮影感度、シャッタスピードを決定する。
【００５４】
表示制御部１３４は、ＣＰＵ１００からの指令に従い、ステータスモニタ２４の表示を制御する。
【００５５】
データ解析部１３６は、ＣＰＵ１００からの指令に従い、撮影により得られた画像データを解析して、撮影の成否を判定する。すなわち、記憶メディア１２４に記録された画像データの完全性をチェックし、記憶メディア１２４に記録された画像データに不備がないかをチェックする。なお、ここでのチェック方法としては、たとえばパリティチェックにより画像データの完全性をチェックする。
【００５６】
ＣＰＵ１００は、このデータ解析部１３６の解析結果に基づいて撮影結果表示ランプ３４を点灯又は点滅させる。すなわち、記憶メディア１２４に記録された画像データに不備がなく、撮影成功と判定すると、撮影結果表示ランプ３４を一定時間点灯させる。一方、記憶メディア１２４に記録された画像データに不備があり、撮影失敗と判定すると、撮影結果表示ランプ３４を一定時間点滅させる。撮影者は、この撮影結果表示ランプ３４の点灯状態を確認することにより、撮影が成功したか否かを判断することができる。
【００５７】
図５は、本実施の形態のデジタルカメラ１０の撮影処理動作の手順を示すフローチャートである。
【００５８】
電源ボタン２２が押下され、デジタルカメラ１０の電源がＯＮされると（ステップＳ１０）、ＣＰＵ１０は、操作部１０６からの入力に基づいて撮影実行が指示されたか否かを判定する（ステップＳ１１）。すなわち、シャッタボタン２０が押下されたか否かを判定する。
【００５９】
シャッタボタン２０が押下され、撮影実行指示がなされたと判定すると、ＣＰＵ１００は撮影処理を実行する（ステップＳ１２）。すなわち、ＡＥ検出部１３２の出力に基づいて被写体の明るさを検出し、感度及びシャッタスピードを決定して、撮像素子１１０を露光させる。この露光により撮像素子１１０から出力された画像信号は、アナログ信号処理部１１２、Ａ／Ｄ変換器１１４、画像入力コントローラ１１６を介してＲＡＭ１０４に取り込まれ、デジタル信号処理部１１８に加えられる。デジタル信号処理部１１８は、入力された画像信号に所要の信号処理を施してＹＵＶ信号を生成する。生成されたＹＵＶ信号は、ＲＡＭ１０４に一旦格納された後、圧縮処理部１２０に加えられ、所定の圧縮フォーマットで圧縮される。圧縮された圧縮画像データは、ＲＡＭ１０４に格納され、所定フォーマットの画像ファイルとしてメディアコントローラ１２２を介して記憶メディア１２４に記録される。
【００６０】
ＣＰＵ１００は、撮影により得られた画像データの記録が完了したか否かを判定する（ステップＳ１３）。そして、記録が完了したと判定すると、記憶メディア１２４に記録された画像データを読み出して、データ解析部１３６に加え、データの完全性をチェックする（ステップＳ１４）。
【００６１】
そして、そのデータ解析部１３６の解析結果に基づいて撮影の成否を判定する（ステップＳ１５）。
【００６２】
この判定の結果、記憶メディア１２４に記録された画像データに不備がなく、撮影成功と判断すると、ＣＰＵ１００は、撮影結果表示ランプ３４を一定時間点灯させる（ステップＳ１６）。
【００６３】
一方、記憶メディア１２４に記録された画像データに不備があり、撮影失敗と判断すると、ＣＰＵ１００は、撮影結果表示ランプ３４を一定時間点滅させる（ステップＳ１７）。
【００６４】
撮影者は、撮影後、この撮影結果表示ランプ３４の点灯状態を確認することより、撮影が成功したか否かを判断することができる。
【００６５】
ＣＰＵ１００は、この後、操作部１０６からの出力に基づいて電源がＯＦＦされたか否か判定する（ステップＳ１８）。そして、電源がＯＦＦされていないと判定すると、ステップＳ１１に戻り、上記処理を繰り返し実行する。一方、電源がＯＦＦされたと判定すると、処理を終了する。
【００６６】
このように、本実施の形態のデジタルカメラ１０では、撮影後、直ちに撮影により得られた画像データがチェックされ、撮影の成否が撮影結果表示ランプ３４で示される。これにより、撮影画像をモニタに表示させなくても、撮影の成否を確認することができる。この結果、カメラボディ１２にモニタの設置が必要なくなり、安価なデジタルカメラを提供することができる。また、電力消費も抑えることができる。
【００６７】
なお、本実施の形態では、撮影の成否を撮影結果表示ランプ３４で報知しているが、撮影の成否を報知する手段は、これに限定されるものではない。たとえば、図６に示すように、ステータスモニタ２４に撮影結果を表示するようにしてもよい。なお、図６に示す例では、撮影に成功すると、ＯＫマークが表示され、撮影に失敗すると、ＮＧマークが表示される。この他、カメラボディにスピーカ等の音声出力手段を設置し、ビープ音や音声で撮影の成否を報知してもよい。
【００６８】
また、撮影結果は、図７に示すように、ファインダの中に表示するようにしてもよい。なお、同図（ａ）は、ファインダの中に撮影結果表示ランプ３４を設置したもので、撮影に成功すると、撮影結果表示ランプ３４が点灯し、撮影に失敗すると、撮影結果表示ランプ３４が点滅する。また、同図（７）は、ファインダの中に種々の情報、たとえば、ストロボモード、シャッタスピード、絞り値などを表示するファインダ内表示部５０を設け、このファインダ内表示部５０に撮影結果を表示するようにしたものである。すなわち、撮影に成功すると、このファインダ内表示部５０にＯＫマークが表示され、撮影に失敗すると、ＮＧマークが表示される。なお、このファインダ内表示部５０に撮影結果表示ランプ３４を設置してもよい。
【００６９】
この他、図８に示すように、カメラボディ１２の背面にデート表示用ＬＣＤ５６を設置し、このデート表示用ＬＣＤ５６に撮影結果を表示するようにしてもよい。
【００７０】
また、撮影結果表示ランプ３４で撮影結果を報知すると同時にステータスモニタ２４でも撮影結果を報知するようにしてもよい。
【００７１】
また、切換手段を設け、撮影結果を報知する方法をユーザが選択できるようにしてもよい。すなわち、たとえば、カメラボディ１２に切換スイッチを設け、撮影結果表示ランプ３４で撮影結果を報知する場合と、ステータスモニタ２４で撮影結果を報知する場合と、双方で報知する場合とを選択できるようにしてもよい。
【００７２】
また、ファインダの構成は、本実施の形態のものに限定されるものではなく、たとえば、図９に示すように、スポーツファインダを用いてもよい。この場合も撮影結果表示ランプ３４は、ファインダを覗いた時、視野に入るように、ファインダ接眼部の近傍位置に設置することが好ましい。
【００７３】
この他、カメラボディに穴のみを開けたファインダを用いてもよい。
【００７４】
なお、本実施の形態では、使い切りタイプのカメラのように安価なデジタルカメラとすることから、撮影レンズ１４に固定焦点レンズを用いているが、オートフォーカス（ＡＦ）機能を備えた撮影レンズを用いてもよい。
【００７５】
この場合、シャッタボタン２０は、半押しと全押しとからなる二段式のシャッタボタンで構成し、半押しでＡＦ、全押しで記録が行われるようにする。
【００７６】
また、図８に示すように、ファインダ接眼部３０の近傍にＡＦランプ５２を設置し、主要被写体に合焦すると、ＡＦランプ５２が点灯するように構成する。また、ＡＦエラーの場合は、ＡＦランプ５２が点滅するように構成する。これにより、モニタがなくてもピント状態を確認することができ、撮影の失敗を効果的に防止することができる。
【００７７】
なお、ピント状態を報知する手段は、限定されるものではなく、ステータスモニタ２４にピント状態を表示してもよいし、音声でピント状態を報知してもよい。
【００７８】
また、撮影レンズ１４は、ズームレンズで構成してもよい。この場合、ファインダはズームファインダで構成し、カメラボディ１２には、図８に示すように、ズームボタン５４を設置する。
【００７９】
また、本実施の形態では、撮影の成否を判断する方法として、記憶メディア１２に記録された画像データの完全性をチェックし、データに不備がないかをチェックして、撮影の成否を判断しているが、撮影の成否を判断する方法は、これに限定されるものではない。たとえば、公知の手法を用いて撮影された画像のピント状態や像ブレの有無、露出の過不足等をチェックし、撮影の成否を判断してもよい。
【００８０】
また、撮影失敗が報知されたときに、撮影した画像を消去する手段を設置してもよい。たとえば、カメラボディ１２に消去ボタンを設置し、撮影失敗が報知された時、当該消去ボタンを押すと、撮影された画像が記憶メディア１２４から消去されるように構成する。これにより、撮影失敗画像が記憶メディア１２４に記録されて、無駄に記憶メディア１２４の容量を圧迫するのを防止できる。
【００８１】
なお、本実施の形態では、画像表示用のモニタのないデジタルカメラに本発明を適用した場合を例に説明したが、画像表示用のモニタを備えたデジタルカメラにも本発明は適用することができる。
【００８２】
また、イメージセンサとして用いる撮像素子は、ＣＣＤに限らすＣＭＯＳ等の他の撮像素子を用いてもよい。
【００８３】
また、本実施の形態では、撮影により得られた画像データを圧縮して記録することとしているが、撮像素子から出力された画像信号をデジタル信号に変換した、いわゆるＲＡＷデータを記録するようにしてもよい。
【図面の簡単な説明】
【００８４】
【図１】デジタルカメラの正面斜視図
【図２】デジタルカメラの背面斜視図
【図３】ステータスモニタの平面図
【図４】デジタルカメラの電気的構成を示すブロック図
【図５】デジタルカメラの撮影処理動作の手順を示すフローチャート
【図６】ステータスモニタの他の実施の形態の平面図
【図７】ファインダ内の表示例を示す図
【図８】デジタルカメラの他の実施の形態の背面斜視図
【図９】デジタルカメラの他の実施の形態の背面斜視図
【符号の説明】
【００８５】
１０…デジタルカメラ、１２…カメラボディ、１４…撮影レンズ、１６…ファインダ窓、１８…ストロボ、２０…シャッタボタン、２２…電源ボタン、２４…ステータスモニタ、２６…セルフタイマボタン、２８…ストロボボタン、３０…ファインダ接眼部、３２…ストロボ発光ＯＫランプ、３４…撮影結果表示ランプ、５０…ファインダ内表示部、５２…ＡＦランプ、５４…ズームボタン、５６…デート表示部、１００…ＣＰＵ、１０２…ＲＯＭ、１０４…ＲＡＭ、１０６…操作部、１０８…時計／カレンダ部、１１０…撮像素子、１１２…アナログ信号処理部、１１４…Ａ／Ｄ変換器、１１６…画像入力コントローラ、１１８…デジタル信号処理部、１２０…圧縮処理部、１２２…メディアコントローラ、１２４…記憶メディア、１２６…ストロボ制御部、１２８…電源制御部、１３０…バッテリ、１３２…ＡＥ検出部、１３４…表示制御部、１３６…データ解析部
【図１】
2007124035.tif 000003
【図２】
2007124035.tif 000004
【図３】
2007124035.tif 000005
【図４】
2007124035.tif 000006
【図５】
2007124035.tif 000007
【図６】
2007124035.tif 000008
【図７】
2007124035.tif 000009
【図８】
2007124035.tif 000010
【図９】
2007124035.tif 000011